(57)【要約】【課題】塗布する部位に押し当てるだけで計量した内容液を少量ずつ注出することができ、また押し当てを中断しても内容液が流れ出てしまうことがない計量注出容器を提案する。【解決手段】本発明の計量注出容器１は、内容液の流入孔４ｆを備える中栓４と、上部開口５ａを有するヘッド５と、上部開口５ａに対して摺動可能に設けられる注出筒部６ｂ及び注出筒部６ｂに連結する筒状基部６ｆを備え、注出筒部６ｂを引き出すことで計量空間Ｋを形成する移動栓６と、先端開口６ａを閉塞するとともに弾性部材８によって弾性支持される塗布栓７を備え、筒状基部６ｆは、注出筒部６ｂを引き出すことで流入孔４ｆと計量空間Ｋとを連通させる一方、注出筒部６ｂを押し込むことでその連通を遮断する内面壁６ｈを有し、塗布栓７の外周壁に、注出筒部６ｂとともに塗布栓７を押し込むことで計量空間Ｋ内の内容液を注出させる縦溝７ｃを備えることを特徴とする。【選択図】図１
2015048116.tif 000002
【特許請求の範囲】
【請求項１】
口部を有しその内側に内容液を収容可能とする容器本体と、該口部に装着され該容器本体内の内容液を計量してかかる内容液を注出させる注出部材とを備える計量注出容器であって、
前記注出部材は、前記口部の内側で保持され、上部を閉塞した内側周壁に対して底壁を介して連結する外側周壁を有するとともに内容液の流入孔を備える中栓と、
上部開口を有し、該中栓を内側に収めて該口部に保持されるヘッドと、
該上部開口に対して摺動可能に設けられる注出筒部を有し、該注出筒部に連結するとともにその外面壁を該外側周壁又は該ヘッドから該外側周壁に沿って延在する環状壁に摺動可能に当接させる筒状基部を備え、該注出筒部を引き出すことで該筒状基部の内側に内容液の計量空間を形成する移動栓と、
該注出筒部の先端開口から先端部を突出させて該先端開口を閉塞するとともに該移動栓に保持された弾性部材によって弾性支持される塗布栓とからなり、
前記筒状基部は、前記注出筒部を引き出すことで前記内側周壁との相互間に前記流入孔と前記計量空間とを連通させる隙間を形成する一方、該注出筒部を押し込むことで該内側周壁に液密に当接して該流入孔と該計量空間との連通を遮断する内面壁を有し、
前記塗布栓の外周壁に、該注出筒部とともに該塗布栓を押し込むことで前記先端開口との間で形成される流出路から該計量空間内の内容液を注出させる縦溝を備える計量注出容器。
【請求項２】
前記注出筒部に着脱自在に嵌合する嵌合筒部を有し、前記容器本体からの取り外しによって前記注出筒部を引き上げるオーバーキャップを備える請求項１に記載の計量注出容器。
【発明の詳細な説明】
【技術分野】
【０００１】
本発明は、容器内の内容液を一定量だけ計量し、かかる計量済みの内容液をそのまま注出することができる計量注出容器に関する。
【背景技術】
【０００２】
育毛剤の如き薬液等、一回の使用量が定められたものは、容器内の内容液を注出するに際しては計量することが不可欠であり、従来は、容器本体の中栓に配置された円筒部を上下動させて第一弁及び第二弁を交互に開閉することにより、容器本体の内容液を計量筒部材内へ流し入れ、計量済みの内容液を、注出口を通して外部へ排出するようにしていた（例えば、特許文献１参照）。
【先行技術文献】
【特許文献】
【０００３】
【特許文献１】特開２００２−３３７９１０号公報
【発明の概要】
【発明が解決しようとする課題】
【０００４】
ところで、上記のような従来の容器は、塗布する部位に対して繰り返し押し当てて衝撃を与えるようにして注出させるものであるため、意図した部位に対して正確に押し当てることが困難であった。また、一旦押し当てると注出口の弁が開いてしまうため、計量済みの内容液が全て一度に注出されてしまうおそれもあった。このため、使い勝手を良くする点で未だ改良の余地が残されているのが現状であった。
【０００５】
本発明は、このような従来の問題点を解決することを課題とするものであり、その目的は、計量した内容液を意図した部位に正確に注出させることができる上、内容液が不用意に注出されることがない、使い勝手に優れた計量注出容器を提案するところにある。
【課題を解決するための手段】
【０００６】
本発明は、口部を有しその内側に内容液を収容可能とする容器本体と、該口部に装着され該容器本体内の内容液を計量してかかる内容液を注出させる注出部材とを備える計量注出容器であって、
前記注出部材は、前記口部の内側で保持され、上部を閉塞した内側周壁に対して底壁を介して連結する外側周壁を有するとともに内容液の流入孔を備える中栓と、
上部開口を有し、該中栓を内側に収めて該口部に保持されるヘッドと、
該上部開口に対して摺動可能に設けられる注出筒部を有し、該注出筒部に連結するとともにその外面壁を該外側周壁又は該ヘッドから該外側周壁に沿って延在する環状壁に摺動可能に当接させる筒状基部を備え、該注出筒部を引き出すことで該筒状基部の内側に内容液の計量空間を形成する移動栓と、
該注出筒部の先端開口から先端部を突出させて該先端開口を閉塞するとともに該移動栓に保持された弾性部材によって弾性支持される塗布栓とからなり、
前記筒状基部は、前記注出筒部を引き出すことで前記内側周壁との相互間に前記流入孔と前記計量空間とを連通させる隙間を形成する一方、該注出筒部を押し込むことで該内側周壁に液密に当接して該流入孔と該計量空間との連通を遮断する内面壁を有し、
前記塗布栓の外周壁に、該注出筒部とともに該塗布栓を押し込むことで前記先端開口との間で形成される流出路から該計量空間内の内容液を注出させる縦溝を備える計量注出容器である。
【０００７】
前記注出筒部に着脱自在に嵌合する嵌合筒部を有し、前記容器本体からの取り外しによって前記注出筒部を引き上げるオーバーキャップを備えることが好ましい。
【発明の効果】
【０００８】
本発明では、注出部材の注出筒部を引き出すことで、筒状基部の内側に形成される計量空間と容器本体内に通じる中栓の流入孔とが連通し、また、注出筒部を押し込むことで、筒状基部の内面壁が中栓の内側周壁に液密に当接して計量空間と流入孔との連通が遮断される。すなわち、注出部材の注出筒部を引き出して容器を傾倒させれば、容器本体の内容液を計量空間内に流入させることができ、塗布する部位に注出部材を押し当てることで、容器本体から計量空間への内容液の流入が阻止されるので、計量空間に流入した一定量の内容液だけを注出させることができる。また、注出部材には注出筒部の先端開口を閉塞するとともに弾性部材によって弾性支持される塗布栓を設けていて、この塗布栓の外周壁に、注出筒部とともに押し込まれることによって先端開口との間で計量空間内の内容液を注出させる流出路を形成する縦溝を設けたので、塗布する部位に注出部材を押し当てている場合のみ内容液を注出させることができる。また、途中で押し当てを解除しても内容液が流れ出てしまうことはなく、再度押し当てれば、計量空間内に残った内容液を再び注出させることができるので、小出しの注出も可能である。
【０００９】
注出筒部に着脱自在に嵌合する嵌合筒部を有し、容器本体からの取り外しによって注出筒部を引き出すオーバーキャップを設ける場合は、使用に際してオーバーキャップを取り外せば、容器を傾倒させてすぐに使用することができるので、使い勝手が更によくなる。
【図面の簡単な説明】
【００１０】
【図１】本発明に従う計量注出容器の一実施形態を示す側面視での断面図である。
【図２】図１の状態からオーバーキャップを取り外した状態を示す断面図である。
【図３】図２の状態から容器を傾倒させて塗布する部位に塗布栓を押し当てた直後の状態を示す図である。
【図４】計量空間内の内容液を全て注出した状態を示す図である。
【発明を実施するための形態】
【００１１】
以下、図面を参照して、本発明をより具体的に説明する。なお、本願明細書、特許請求の範囲、要約書、及び図面では、容器が水平面上に置かれる状態（図１）を基準として、オーバーキャップの頂壁が位置する側を上方（図１における上側）とし、容器本体の底部が位置する側を下方（図１における下側）とする。
【００１２】
図１において、符号１は、本発明の計量注出容器の一実施形態を示す。計量注出容器１は、内容液を収容する容器本体２と、容器本体２に装着される注出部材３とを備えている。本実施形態において注出部材３は、容器本体２の口部内に取り付けられる中栓４と、中栓を内側に収めるヘッド５と、ヘッド５の径方向内側に設けられる移動栓６と、移動栓６の先端（上端側）から突出する塗布栓７と、塗布栓７を弾性支持する弾性部材８とからなる。更に計量注出容器１は、注出部材３を内側に収めて容器本体２に装着されるオーバーキャップ９を備えている。
【００１３】
容器本体２は、矩形状の底部２ａから起立する角筒状の胴部２ｂを有し、この胴部２ｂに肩部２ｃを介して円筒状の口部２ｄを一体に連結させたものであり、その内側に内容液を収容する収容空間Ｍを形成している。なお容器本体２の形状は上記のものに限られず、円筒状や多角筒状の胴部を有するものであってもよい。また、口部２ｄの外周面には、ねじ部２ｅが設けられていて、ねじ部２ｅの上方には径方向外側に向けて凸となる爪部２ｆが設けられている。
【００１４】
中栓４は、中央部を上方に向けて突出させた頂壁４ａによって上部を閉鎖した円筒状の内側周壁４ｂを備えていて、内側周壁４ｂの下端縁には、底壁４ｃを介して内側周壁４ｂに連結するとともに口部２ｄの内周面に沿って延在する円筒状の外側周壁４ｄが設けられている。また、外側周壁４ｄの上端縁には径方向外側に向かうフランジ４ｅを設けていて、このフランジ４ｅが口部２ｄの上端縁に載置された状態で、中栓４は、口部２ｄの内側で保持される。また、内側周壁４ｂと底壁４ｃとの連結部には、これらの両方に跨がって設けられる複数の貫通孔（流入孔）４ｆが設けられている。
【００１５】
ヘッド５は、上部開口５ａを有する円筒状の筒状部５ｂを備えていて、筒状部５ｂの下端にはフランジ４ｅの上方にて水平方向に延在する円板状の天壁５ｃが連結している。また天壁５ｃの外縁には、下方に向けて延在するとともに爪部２ｆに係合して抜け止め保持される外周壁５ｄが設けられている。また上部開口５ａには、筒状部５ｂから径方向内側に突出する凸部５ｅが設けられている。更に、天壁５ｃの下面には外側周壁４ｄに沿って延在して底壁４ｃに至る環状壁５ｆが設けられている。
【００１６】
移動栓６は、上部開口５ａから先端を突出させるとともにその上部に先端開口６ａを有する円柱状の注出筒部６ｂを備えている。注出筒部６ｂの外周面上部には、環状の外向き突起６ｃが設けられていて、注出筒部６ｂの内周面上部には、環状の内向き突起６ｄが設けられている。また、注出筒部６ｂの下端には、段部６ｅを介して注出筒部６ｂよりも大径となる筒状基部６ｆが設けられている。本実施形態で筒状基部６ｆの下端部は下方に向かって径方向外側に広がるように形成されていて、その外周面（外面壁６ｇ）が、環状壁５ｆに摺動可能且つ液密に当接している。また、筒状基部６ｆの内周面（内面壁６ｈ）は、例えば径方向内側に向けて膨出させた凸部等を設けることで、内側周壁４ｂの外周面に摺動可能且つ液密に当接している。
【００１７】
塗布栓７は、先端開口６ａから上方に突出する円筒状または円柱状の先端部７ａを備えていて、先端部７ａの外周面には、内向き突起６ｄが摺動可能且つ液密に当接している。また、先端部７ａの下部には先端部７ａよりも大径となる円板状の後端部７ｂが設けられており、この後端部７ｂが内向き突起６ｄ下面に当接（密接）することで、先端開口６ａが密閉されている。なお、後端部７ｂの上面縁部にはテーパを設けているので、内向き突起６ｄの下面との片当たり（周方向の一部のみが当接して他の部位は隙間が生じる状態）を防止することができる。更に、先端部７ａの外周面において内向き突起６ｄよりも上方には、上下方向に延びる縦溝７ｃが少なくとも１つ（本実施形態では複数）設けられている。
【００１８】
弾性部材８は、上下方向に弾性力を発現させる弾性部分８ａと、弾性部分８ａに連結するとともに移動栓６の注出筒部６ｂに保持される円環状の支持部分８ｂとを有している。本実施形態では、注出筒部６ｂの内面から径方向内側に突出する凸部を設けて支持部分８ｂを下方から支持していて、支持部分８ｂを抜け止め保持している。また、本実施形態で弾性部分８ａは、螺旋状に延在して塗布栓７に一体に連結するものであるが、板ばね状に形成しても、また、塗布栓７とは別の部材で構成してもよい。
【００１９】
オーバーキャップ９は、本実施形態では外キャップ９ａと内キャップ９ｂとで構成されている。外キャップ９ａは、矩形状の頂壁９ｃの外縁に角筒状の外壁９ｄを連結したものであり、その内側に内キャップ９ｂを抜け出し不能に保持している。また、内キャップ９ｂは、頂壁９ｃの下方に位置する円板状の天壁９ｅの外縁に、外壁９ｄに沿って延在する円筒状の内壁９ｆを連結したものであり、内壁９ｆの下方には、口部２ｄのねじ部２ｅに対応するねじ部９ｇが設けられている。また、天壁９ｅの下面には、注出筒部６ｂを取り囲むとともに外向き突起６ｃに嵌合する嵌合筒部９ｈが設けられていて、嵌合筒部９ｈの径方向内側には、注出筒部６ｂの上端に当接して、オーバーキャップ９を口部２ｄにねじ込んだ際に移動栓６を下限またはその近傍まで押し込むことができる板状のリブ９ｉが設けられている。本実施形態では複数のリブ９ｉが、嵌合筒部９ｈの周方向に沿って間隔をあけて設けられている。
【００２０】
上記のような構成になる計量注出容器１によれば、オーバーキャップ９を取り外すことで、嵌合筒部９ｈに嵌合した注出筒部６ｂを、図２に示すように上方にむけて引き出すことができる。なお、注出筒部６ｂは、段部６ｅが凸部５ｅに当たることでその引き出しが停止されるので、常に決まった位置まで引き出すことができる。これにより、移動栓６の内側には、筒状基部６ｆと中栓４とで区画される計量空間Ｋが形成される。またこの場合、筒状基部６ｆの内面壁６ｈは中栓４の内側周壁４ｂから離れていて、それらの相互間には隙間ｓが形成されるので、計量空間Ｋと流入孔４ｆとを連通させることができる。
【００２１】
次いで、図３に示すように計量注出容器１を傾倒させることで、収容空間Ｍ内の内容液は流入孔４ｆから計量空間Ｋ内に流入する。そして、塗布する部位に注出部材３を押し当てることで、塗布栓７が弾性部材８の付勢力に抗して押し込まれ、縦溝７ｃと内向き突起６ｄとの相互間に計量空間Ｋに通じる流出路が形成される。また、図示は省略するが、この押し当てに併せて移動栓６も押し込まれ、筒状基部６ｆの内面壁６ｈが内側周壁４ｂに当接して、流入孔４ｆと計量空間Ｋとの連通が遮断される。これにより、計量空間Ｋ内には一定量の内容液が計量されることになる。
【００２２】
そして、塗布する部位への押し当てを継続することで、移動栓６は中栓４に向けて徐々に押し込まれ、筒状基部６ｆと中栓４とで区画される計量空間Ｋの容積が減容する。この容積の減容（移動栓６の押込量）に従って計量空間Ｋ内の内容液は、縦溝７ｃと内向き突起６ｄとの流出路を通して注出され、図４に示すように計量空間Ｋ内の内容液を全て注出させることができる。なお、途中で押し当てを中断すれば、弾性部材８によって付勢された塗布栓７が移動して流出路が閉鎖されるので、計量空間Ｋ内に残った内容液が流れ出てしまうことはない。そして、塗布する部位へ再度押し当て、移動栓６を押し込めば、計量空間Ｋに残った内容液を再び注出させることができるので、内容液を小出しにすることも可能である。
【００２３】
使用後は、オーバーキャップ９を容器本体２にねじ込むことで、嵌合筒部９ｈを再び注出筒部６ｂの外向き突起６ｃに嵌合させることができる。なお、仮に注出筒部６ｂが引き出された状態でオーバーキャップ９をねじ込んでも、リブ９ｉが注出筒部６ｂの上端に当接して注出筒部６ｂを押し下げることができるので、移動栓６を初期状態にもどすことができる。オーバーキャップ９の螺着により注出筒部６ｂを押し下げた場合には、計量空間Ｋの内圧が高まることになるが、例えば内面壁６ｈに設けられたシール部（凸部等）が形成された部分の壁厚を弾性変形可能な程度の薄肉部に形成することで、計量空間Ｋの内圧が高まると当該薄肉部が変形（外側に膨出変形）し、内面壁６ｈと内側周壁４ｂとのシール状態が解除され、計量空間内に残留している内容液等を容器本体内に戻すことが出来る。
【００２４】
上述したところは本発明の一実施形態に過ぎず、特許請求の範囲において種々の変更を加えることができる。例えば、中栓４に設けた流入孔４ｆは、内側周壁４ｂ及び底壁４ｃの少なくとも一方に設けるものであればよい。さらに、外側周壁４ｄが口部２ｄの内面から離間している場合は、当該外側周壁４ｄに流入孔４ｆを設けて計量空間Ｋに内容液を流入させるようにしても良い。また、筒状基部６ｆの外面壁６ｇが当接する部位は、環状壁５ｆを省略して外側周壁４ｄにしてもよい。更に、オーバーキャップ９は、１つの部材で構成してもよい。また、塗布栓７は、横断面輪郭形状が多角形状となるものであってもよい。また、特に図示しないが、オーバーキャップ９の着脱時等に、容器本体２の内圧を大気圧と等しくする為、収容空間Ｍと外部とを一時的に連通させる機構を備えることが好ましい。
【産業上の利用可能性】
【００２５】
本発明によれば、塗布する部位に押し当てるだけで計量した内容液を注出することができ、また押し当てを中断しても内容液が流れ出てしまうことがない、使い勝手に優れた計量注出容器を提供することができる。
【符号の説明】
【００２６】
１  計量注出容器
２  容器本体
２ａ  底部
２ｂ  胴部
２ｃ  肩部
２ｄ  口部
２ｅ  ねじ部
２ｆ  爪部
３  注出部材
４  中栓
４ａ  頂壁
４ｂ  内側周壁
４ｃ  底壁
４ｄ  外側周壁
４ｅ  フランジ
４ｆ  流入孔
５  ヘッド
５ａ  上部開口
５ｂ  筒状部
５ｃ  天壁
５ｄ  外周壁
５ｅ  凸部
５ｆ  環状壁
６  移動栓
６ａ  先端開口
６ｂ  注出筒部
６ｃ  外向き突起
６ｄ  内向き突起
６ｅ  段部
６ｆ  筒状基部
６ｇ  外面壁
６ｈ  内面壁
７  塗布栓
７ａ  先端部
７ｂ  後端部
７ｃ  縦溝
８  弾性部材
８ａ  弾性部分
８ｂ  支持部分
９  オーバーキャップ
９ａ  外キャップ
９ｂ  内キャップ
９ｃ  頂壁
９ｄ  外壁
９ｅ  天壁
９ｆ  内壁
９ｇ  ねじ部
９ｈ  嵌合筒部
９ｉ  リブ
Ｋ  計量空間
Ｍ  収容空間
ｓ  隙間
【図１】
2015048116.tif 000003
【図２】
2015048116.tif 000004
【図３】
2015048116.tif 000005
【図４】
2015048116.tif 000006